(57)【要約】【課題】マルチ畝に立てた複数の支柱のそれぞれに、複数の横方向パイプを段状に設けて、横方向パイプに張った紐に蔓を巻きつかせて上方へ誘導して、常に鞘の収穫を増量する立体的な生育環境を提供する。【解決手段】マルチ畝１０に植えつけられた蔓性植物の栽培用支柱１に開口を有する溝部４を備えた取り付け装置を段状に設けて、該溝部の側面に連結して前記支柱の外周を挟むバンド２を備え、溝部４に嵌合させて横方向パイプ３を段状に形成し、その両側に対称的に紐通し溝又は穴７とその両端部に帽子状紐止め部１１を設け、横方向パイプ３に紐８を張り、蔓性植物の新蔓を紐に絡ませることができるようにした立体的な蔓性植物の栽培装置。【選択図】図３
0003123824.tif 000002
【実用新案登録請求の範囲】
【請求項１】
マルチ畝に植えつけられた蔓性植物の栽培用支柱に横方向パイプを嵌合させるための開口を有する溝部を備える取り付け装置であって、前記溝部に連結して支柱の外周を両側から挟み取り付けるバンドを備えた該取り付け装置をマルチ畝に立てられた複数の支柱のそれぞれに段状に設け、その取り付け装置の溝部に嵌め合わせて段状に取り付けた前記横方向パイプに張った紐に新蔓を絡ませて上方の紐へ誘導する立体的な栽培空間を形成することを特徴とする蔓性植物の栽培装置。
【請求項２】
紐通し溝を左右対称に設けた横方向パイプを複数の支柱のそれぞれに段状に設けた取り付け装置に取り付けて、前記横方向パイプの紐通し溝に紐を通し、支柱の側方に突出した横方向パイプに紐を段状に張ることを特徴とする請求項１に記載の蔓性植物の栽培装置。
【請求項３】
紐通し穴を左右対称に設けた横方向パイプを複数の支柱のそれぞれに段状に設けた取り付け装置に取り付けて、前記横方向パイプの紐通し穴に紐を通し、支柱の側方に突出した横方向パイプに紐を段状に張ることを特徴とする請求項１に記載の蔓性植物の栽培装置。
【請求項４】
複数の支柱に設けた取り付け装置の溝部に嵌め合わせた横方向パイプの両端部に横方向のパイプの直径よりやや大きな帽子状の紐止め部を有し、複数の支柱のそれぞれに取り付けた前記横方向パイプの紐止め部に紐を巻いて、支柱の側方に突出した横方向パイプに紐を段状に張ることを特徴とする請求項１ないし３のいずれか１項に記載の蔓性植物の栽培装置。
【考案の詳細な説明】
【技術分野】
【０００１】
本考案は、蔓性植物の新蔓の誘導が容易な蔓性植物の栽培装置に関するものである。
【背景技術】
【０００２】
植物栽培装置の中で、蔓性植物の栽培用垣根は、新しい芽が出てそれから新蔓があらゆる方向に伸びる場合に、一定の方向へ新蔓の芽を誘導して垣根全体に蔓が広がって、多くの花を咲かせて、実を含む鞘を多く収穫する利点があるので、園芸用補助ネット（特許文献１、３）、ネット状部材の支持構造（特許文献１０）、野菜の茎蔓の支持具（特許文献１１）、蔓性植物の植木鉢用支柱（特許文献５、６、８、９）、蔓性植物の育成部材（特許文献７）など園芸用資材が実用に共されている。
実用の蔓性植物の生育のための垣根として使用する園芸用資材は、鉢用など趣味的に栽培される、比較的小さい形状の資材である。これらの特許文献は、長い畝にマルチ栽培された蔓性植物の収穫量を多くするために蔓性植物の生育用として使用する場合には、利用に不便さが生じる。特許文献１，３のような栽培ネットもあるが、ネット側面に伸びる新しい蔓はネットに巻きつくことなくネットの外側へ張り出す新蔓であって、これは人手によって誘導してネットに絡ませるか、もぎ取られる運命の新蔓であるので、そのまま放置すると邪魔になり収穫に繋がることもない新蔓であって、人手を掛けないと増量に結びつかない欠点がある。又蔓性植物の花を楽しむ朝顔に代表されるものは、蔓が伸びてネット、或いは垣根の全体に広がって、そこに咲かせる花を見えやすくするのみで実用上十分であった。
【０００３】
しかし、マルチ栽培されている畝に植えられた蔓性植物の栽培のためには、ネット或いは垣根に蔓が平面的に広がるのみでは、混み合っている蔓の絡まりによる日照不足を生じ、平面的な栽培法では鞘の劣化により収穫量の増加を望みえない。このために、マルチ畝に立てられた支柱の側面にも立体的に蔓性植物が伸びて巻きつくことができる十分な空間を確保する必要がある。
ところが、前記従来の園芸用資材は、これらの資材をマルチ畝に使用する場合、ネットや垣根の側面に立体的な栽培空間を拡大して利用しようとすると不便であるという欠点があった。マルチ畝に立てた支柱に張られたネット又は垣根の側面に伸びる新蔓を収穫に利用するためには、支柱の側面にも立体的な広がりを持つ栽培空間にすることが豊富な日照を可能する。ところで、従来の栽培資材は特許文献に見られるような鉢植えのための園芸資材であるために、マルチ畝でそれを使用とするとそれができないか、できるとしても資材自体が複雑なものになっているので、日常的な消費活動に直結しているエンドウ、インゲンのような蔓性植物の栽培技術の進歩性が損なわれている。
【０００４】
マルチ畝に栽培されている蔓性植物の鞘を従来より多く収穫する用途において、この欠点はネット或いは垣根の側面に伸びる無数の新蔓に発生する鞘の収穫量の増大にとっては大きな障害である。具体的には、畝に立てた複数の支柱間にネットを張って、これに新しい蔓を絡ませる場合に支柱の外側に張り出して伸びる蔓を誘導することができるものがなっかった。そのために、側面に伸びる新蔓は収穫に繋がる花を咲かせる前にすでにネットに巻きついて成育している蔓の成育を阻害しており、或いは収穫作業の邪魔にもなるので側面に伸びて出てきている新蔓を摘み取られることが多い。本考案は、係る新蔓を守る立体的な空間を作って誘引し、新蔓を上方へ導いて、収穫が増量できる蔓として生育することを目的としている。                                                                                                                                                                                                                                                                                                                                                                                                                                          
【０００５】
この改善策として、特許文献５〜９がある。これらの特許文献におけるそれぞれの符号を引用して、特徴をみると特許文献５の代表図面は植物鉢用支柱体の説明図であって、鉢の４角に立てた支柱２の周囲に複数個の保持枠３を設けるため、支柱２に保持枠３と連結するための連結部材４を取り付けて、保持枠３に連結部材４を回動可能に係合して植木鉢用支柱体１を展開、折り畳み自在にするための係合部３０を設ける。特許文献５、６、８のいずれにも共通して横方向に支柱を包囲する資材について記述があるが、いずれも植木鉢用園芸資材に限られる。特許文献７の代表図面は蔓性植物の育成部材であって、少なくとも２本以上の支柱１２と、該少なくとも２本の支柱１２にまたがって配設される少なくとも１本以上の横部材１４と、該支柱１２と横部材１４とを接続する接続手段１６と、構造体に張設されるネット１８とから蔓性植物２０の育成部材を構成したことが記載されている。この場合にも畝に沿って支柱を立てるマルチ栽培をする必要がある蔓性植物、例えば、エンドウ、インゲン、のような鞘を収穫して販売することができる栽培品種を量産する場合は、蔓が新たに横方向に芽を出してそれが伸びる場合に巻きつくものがなくその新蔓からの収穫は得られない。特許文献に記載された栽培資材を用いて、長い畝に蔓性植物を栽培する場合に部品点数も多くなり、垣根の構造体を組み立てたり、それを外して解体したりする手数も煩雑になるので、蔓性植物の鞘を食料として供給するために増量を図ることができない不便は著しいものである。
【特許文献１】特開平９−２０５８９６号公報
【特許文献２】特開平１０−３２７６８１号公報
【特許文献３】特開平７−２７４７３６号公報
【特許文献４】特開２００５−３４１９２０号公報
【特許文献５】特開２００２−１１２６３８号公報
【特許文献６】特開２００２−６５０７４号公報
【特許文献７】特開平８−２１４７０９号公報
【特許文献８】特開２０００−１５７０６５号公報
【特許文献９】特開平１０−１０８５５７号公報
【特許文献１０】特開２０００−１４５２５号公報
【特許文献１１】特開２００５−２２４２０４号公報
【考案の開示】
【考案が解決しようとする課題】
【０００６】
解決しようとする問題点は、マルチ畝に立てた複数の支柱に張ったネットや垣根は、支柱に横方向パイプを取り付けて側面に立体的な栽培空間を張り出して形成することができないので、側面に伸び出てくる新蔓は、混み合っている蔓同士がお互いに巻き付き合って、日照を妨げて鞘の劣化の原因ともなり常に鞘の収穫を増量することができない点である。
【課題を解決するための手段】
【０００７】
本考案は、畝に植えつけられた蔓性植物の栽培用支柱に横方向のパイプを嵌合させるための開口する溝部を有する取り付け装置と、該取り付け装置には溝部に連結して前記支柱の外周を両側から挟みつける取り付けバンドを備えている。支柱に段状に設けることができる取り付け装置の溝部に嵌め合わせる横方向パイプを取り付ける。そのパイプの両側に紐通し溝又は穴を対称に設けて、前記紐通し溝又は穴に通した紐を段状に張り、複数の支柱間に張った段状の紐に新蔓を絡ませて上方へ誘導して収穫を増量するために、マルチ畝の両側にも立体的に栽培空間を形成することを最も主要な特徴とする。
前記取り付け装置には横方向のパイプを嵌合させる開口する溝部を設けて、溝部に連結してバンドを設け、前記支柱の外周を両側から挟みつけ取り付けるバンドを備えているものである。蝶螺子をボルトに螺合することにより支柱にバンドを取り巻いて前記蝶螺子を締めてバンドを締結して、複数の支柱に横方向パイプを取り付けることができる。蝶螺子をボルトに螺合することにより支柱に前記取り付けバンドを締結して、複数の支柱に前記の取り付け装置を着脱可能にする。取り付け装置の溝部に嵌め合わせる横方向パイプは、パイプの両側に紐通し溝又は穴を左右対称に設けて有るほか、その横方向パイプの両端部に横方向のパイプの直径よりやや大きな帽子状の紐止め部を設けてある。複数の支柱に段状に設けた取り付け装置の溝部にその横方向パイプを嵌め合わせて取り付けて、各支柱に取り付けた横方向パイプ間に紐を張って立体的に栽培空間を形成することができるようにしたものである。横方向パイプの中心に前記した支柱に着脱可能なバンドを備える取り付け装置を設けてもよい。
【考案の効果】
【０００８】
本考案の蔓性植物の栽培装置は、マルチ畝に立てた複数の支柱のいずれにも複数の横方向のパイプの取り付け装置を段状に設けて、その溝部に嵌め合わせた横方向パイプの両側に栽培用の紐を段状に張り、蔓性植物の新芽すなわち新芽から伸びて畝の外に張り出している新蔓を、横方向パイプに段状に張った前記紐により畝の両側上方へ誘引して着花させて鞘の収穫量を増量できるという利点がある。
【考案を実施するための最良の形態】
【０００９】
蔓性植物の栽培用のマルチ畝に立てられた複数の支柱に設けた取り付け装置の溝部に横方向のパイプを嵌め合わせて、側方に張った横方向パイプに紐を張って、その紐に新芽の蔓を絡ませて新蔓を将来の結果蔓として育成して、鞘の収穫を増量をするという目的を、最小の部品点数で実現した。
【実施例１】
【００１０】
図１は、本考案装置の１実施例の正面図であって、図２はその側面図、図３は支柱に設けた横方向のパイプの取り付け装置の正面図、図４は同上支柱に設けた取り付け装置に備えた溝部に嵌め合わせた横方向パイプの平面図、図５は支柱に設けた取り付け装置の溝部４に横方向パイプを嵌め合わせて取り付けた状態を示す水平断面図、支柱に横方向パイプを取り付けるための取り付け装置の側面図をそれぞれ示す。１は支柱、２は支柱に取り付け装置を設けるためのバンド、３は横方向パイプ、４は支柱を取り巻いているバンドに連結された溝部、５は蝶螺子、６はボルト、７は横方向パイプに設けた紐通し溝又は紐通し穴、８は紐、９は蔓性植物、１０は蔓性植物の植え付け用のマルチ畝、１１は横方向パイプの両端部に設けた帽子状の紐止め部である。
【００１１】
紐通し溝７を左右対称に設た横方向パイプ３を複数の支柱１のそれぞれに段状に設けて、前記横方向パイプ３の紐通し溝７に紐８を通し、支柱の側方に突出した横方向パイプに紐を段状に張る。
【００１２】
前記横方向パイプの紐通し溝７は、図３に示したように開口を紐８の上側方に有する溝であるが、紐外れを予防するものであって、紐通し穴であってもその目的を達するものであればよく、支柱の側方に突出した横方向パイプに紐を段状に張る。
【００１３】
複数の支柱１に設けた取り付け装置の溝部４に嵌め合わせた横方向パイプ３の両端部に横方向のパイプの直径よりやや大きな帽子状の紐止め部１１を有し、複数の支柱のそれぞれに段状に設けた横方向パイプ３の紐止め部１１に巻いてある紐が外れないように張る。
【００１４】
蔓性植物９は、広げて張ったネットのような蔓を絡ませる生育環境に蔓を巻き付けて生育する。この場合に、既にネットは巻きついた蔓で満杯であると新芽から伸びだした新蔓の多くはネットに巻きつかずにネットの両側へ伸び出てくる。ネットの側面に出て来る新蔓はお互いに巻き付き合って実際の収穫に結びつかないのみならず鞘を劣化させるので廃棄される。本実施例は、このようなネットの過密な状況で立体的な栽培空間を広くするので、平面的な栽培法より立体的な栽培空間で日照を良く受けて鞘の劣化を防止し、更に多くの鞘の収穫に繋がる新蔓を育成し、結果的に収穫の増量を促進することができる。
【００１５】
図面に基づいて実施例１の栽培装置を説明すると、マルチ畝１０に植えつけられた蔓性植物９の栽培用支柱１に開口を有する溝部４を備えた取り付け装置を段状に設けて、溝部４に横方向パイプ３を嵌合させて、支柱に設けた横方向パイプにより立体的な栽培空間を形成する。前記の取り付け装置は、横方向のパイプ３を嵌め合わせるために溝部４を備えて、この溝部の側面に連結して前記支柱の外周を挟むバンド２を備え、蝶螺子５をボルト６に螺合して前記バンド２を支柱１に締結し、横方向パイプ３の両側に対称的に紐通し溝７とその両端部に帽子状紐止め部１１を設けて横方向に紐８を張り、蔓性植物の新蔓を絡ませることができる立体的な栽培空間を形成する。
【００１６】
上記図１〜６の実施例は、支柱１に設けた取り付け装置に備える溝部４にパイプ３を嵌め合わせて、横方向パイプを支柱に段状に取り付けた該横方向パイプ３の両側に紐８を張ることによって、ネットの側方に伸び出し来た新蔓９を前記紐８に絡ませて立体的に上方へ誘導できるものである。本栽培装置は、支柱の両側に段状に配置した横方向パイプに紐を張って、マルチ畝の収穫範囲は立体的に拡張された結果、マルチ畝に直線的に立てた複数の支柱にネットを張るだけの栽培装置より鞘の収穫を増量し得る。
【産業上の利用可能性】
【００１７】
支柱に段状に取り付けた横方向パイプの紐通し溝又は紐通し穴、紐止め部に紐を張り巡らして、立体的な栽培空間を形成し、この栽培空間では側面の新芽から出た蔓を上段の紐へ誘引して生育することが可能になった。横方向パイプに設けた紐通し溝又は穴と横方向パイプの両端に帽子状の紐止め部を設けることによって、複数の支柱に設けた横方向パイプ間に紐を張る作業を容易にし、エンドウ、インゲン、オランダエンドウその他の蔓性植物の生育に不可欠な蔓を巻きつけることができる紐をマルチ畝上に立体的に張ることができるので、収穫範囲が拡大された結果、立体的生育環境を活用して、日照、風通し共に良好な環境を提供する。ネットのみの場合には平面的なところに蔓が伸びてきて過密になった新蔓を摘み取らなければ、鞘が矮小化したり欠陥を多く出していたが、本考案によれば多くの新蔓を立体的な栽培空間に誘導できるので、収穫量の増量に結びつけることができる。
【図面の簡単な説明】
【００１８】
【図１】蔓性植物の栽培装置の実施方法を示した正面の説明図である。（実施例１）
【図２】同上側面の説明図である。（実施例１）
【図３】支柱に設けた取り付け装置の正面の説明図である。（実施例１）
【図４】同上取り付け装置が備える溝部に嵌め合わせた横方向パイプの平面の説明図である。（実施例１）
【図５】同上横方向パイプを支柱に取り付けた状態を示す水平断面の説明図である。（実施例１）
【図６】溝部に横方向パイプを嵌め合わせた取り付け装置の側面の説明図である。（実施例１）
【符号の説明】
【００１９】
１    支柱
２    溝部に横方向パイプを取り付ける取り付け装置
３    横方向パイプ
４    溝部に連結して支柱に巻きつけたバンド
５    蝶螺子
６    ボルト
７    横方向パイプに設けた紐通し溝又は穴
８    紐
９    蔓性植物
１０    蔓性植物の植え付け用のマルチ畝
１１    横方向パイプの両端部に設けた帽子状の紐止め部
【図１】
0003123824.tif 000003
【図２】
0003123824.tif 000004
【図３】
0003123824.tif 000005
【図４】
0003123824.tif 000006
【図５】
0003123824.tif 000007
【図６】
0003123824.tif 000008